(57)【要約】【課題】無線通信方式のみを変更し、認証や入退室管理を行うサーバ等は既設のものを活用することの可能な装置およびシステムの提供。【解決手段】非接触近接読取ＩＤカードの読取部に非接触近接読取信号を送信可能に配置されるアドオン型制御器であって、近距離無線にて近距離無線読取ＩＤを受信する近距離無線読取部と、近距離無線読取ＩＤと非接触近接読取ＩＤとを関連付けたＩＤ対応情報を保持するＩＤ対応情報保持部と、近距離無線読取部で読取られた近距離無線読取ＩＤを保持されているＩＤ対応情報に基づいて非接触近接読取ＩＤに変換する変換部と、変換された非接触近接読取ＩＤを非接触近接読取ＩＤカードの読取部に非接触近接読取信号にて出力する非接触近接読取信号出力部と、を有するアドオン型制御器を提供する。【選択図】図２
2020029711.tif 000002
【特許請求の範囲】
【請求項１】
非接触近接読取ＩＤカードの読取部に非接触近接読取信号を送信可能に配置されるアドオン型制御器であって、
近距離無線にて近距離無線読取ＩＤを受信する近距離無線読取部と、
近距離無線読取ＩＤと非接触近接読取ＩＤとを関連付けたＩＤ対応情報を保持するＩＤ対応情報保持部と、
近距離無線読取部で読取られた近距離無線読取ＩＤを保持されているＩＤ対応情報に基づいて非接触近接読取ＩＤに変換する変換部と、
変換された非接触近接読取ＩＤを非接触近接読取ＩＤカードの読取部に非接触近接読取信号にて出力する非接触近接読取信号出力部と、
を有するアドオン型制御器。
【請求項２】
近距離無線読取部で読取られた近距離無線読取ＩＤが対応情報にて非接触近接読取ＩＤに変換するものがない場合には非接触近接読取ＩＤへの変換を行わない非変換部をさらに有する請求項１に記載のアドオン型制御器。
【請求項３】
近接無線にて非接触近接読取ＩＤカードを読取る近接無線読取部と、
読取られた非接触近接読取ＩＤと、制御信号とを関連付けた制御対応情報を保持する制御対応情報保持部と、
読取られた非接触近接読取ＩＤと保持されている制御対応情報とに基づいて制御信号を出力する制御信号出力部と、
を有する非接触近接読取型制御器と、
請求項１又は請求項２に記載のアドオン型制御器と、
からなる制御システム。
【請求項４】
アドオン型制御器は、非接触近接読取信号出力部からの信号のみを非接触近接読取型制御器が読取りするための信号シールド部をさらに有する請求項３に記載の制御システム。
【請求項５】
アドオン型制御器は、非接触近接読取ＩＤカードからの信号をも非接触近接読取型制御器が読み取れるように構成された請求項３に記載の制御システム。
【請求項６】
近距離無線読取ＩＤを保持する近距離無線読取ＩＤ保持部と、
保持されている近距離無線読取ＩＤを無線出力する近距離無線読取ＩＤ出力部と、
をアプリケーションプログラムによって構成する携帯端末をさらに備えた請求項３から請求項５のいずれか一に記載の制御システム。
【請求項７】
非接触近接読取ＩＤカードの読取部に非接触近接読取信号を送信可能に配置されるアドオン型制御器の動作方法であって、
近距離無線にて近距離無線読取ＩＤを受信する近距離無線読取ステップと、
近距離無線読取ＩＤと非接触近接読取ＩＤとを関連付けたＩＤ対応情報を取得するＩＤ対応情報取得ステップと、
近距離無線読取ステップで読取られた近距離無線読取ＩＤを取得したＩＤ対応情報に基づいて非接触近接読取ＩＤに変換する変換ステップと、
変換された非接触近接読取ＩＤを非接触近接読取ＩＤカードの読取部に非接触近接読取信号にて出力する非接触近接読取信号出力ステップと、
を実行するアドオン型制御器の動作方法。
【請求項８】
近距離無線読取ステップで読取られた近距離無線読取ＩＤが対応情報にて非接触近接読取ＩＤに変換するものがない場合には非接触近接読取ＩＤへの変換を行わない非変換ステップをさらに実行する請求項７に記載のアドオン型制御器の動作方法。
【請求項９】
近接無線にて非接触近接読取ＩＤカードを読取る近接無線読取ステップと、
読取られた非接触近接読取ＩＤと、制御信号とを関連付けた制御対応情報を取得する制御対応情報取得ステップと、
読取られた非接触近接読取ＩＤと取得した制御対応情報とに基づいて制御信号を出力する制御信号出力ステップと、
を実行する非接触近接読取型制御器の動作方法と、
請求項７又は請求項８に記載のアドオン型制御器の動作方法と、
からなる制御システムの動作方法。
【請求項１０】
近距離無線読取ＩＤを取得する近距離無線読取ＩＤ取得ステップと、
取得された近距離無線読取ＩＤを無線出力する近距離無線読取ＩＤ出力ステップと、
を携帯端末のアプリケーションプログラムによって実行する請求項９に記載の制御システムの動作方法。
【請求項１１】
非接触近接読取ＩＤカードの読取部に非接触近接読取信号を送信可能に配置されるアドオン型制御器の動作プログラムであって、
近距離無線にて近距離無線読取ＩＤを受信する近距離無線読取ステップと、
近距離無線読取ＩＤと非接触近接読取ＩＤとを関連付けたＩＤ対応情報を取得するＩＤ対応情報取得ステップと、
近距離無線読取ステップで読取られた近距離無線読取ＩＤを取得したＩＤ対応情報に基づいて非接触近接読取ＩＤに変換する変換ステップと、
変換された非接触近接読取ＩＤを非接触近接読取ＩＤカードの読取部に非接触近接読取信号にて出力する非接触近接読取信号出力ステップと、
を実行するアドオン型制御器の動作プログラム。
【請求項１２】
近距離無線読取ステップで読取られた近距離無線読取ＩＤが対応情報にて非接触近接読取ＩＤに変換するものがない場合には非接触近接読取ＩＤへの変換を行わない非変換ステップをさらに実行する請求項１１に記載のアドオン型制御器の動作プログラム。
【請求項１３】
近接無線にて非接触近接読取ＩＤカードを読取る近接無線読取ステップと、
読取られた非接触近接読取ＩＤと、制御信号とを関連付けた制御対応情報を取得する制御対応情報取得ステップと、
読取られた非接触近接読取ＩＤと取得した制御対応情報とに基づいて制御信号を出力する制御信号出力ステップと、
を実行する非接触近接読取型制御器の動作プログラムと、
請求項１１又は請求項１２に記載のアドオン型制御器の動作プログラムと、
からなる制御システムの動作プログラム。
【請求項１４】
近距離無線読取ＩＤを取得する近距離無線読取ＩＤ取得ステップと、
取得された近距離無線読取ＩＤを無線出力する近距離無線読取ＩＤ出力ステップと、
を携帯端末のアプリケーションプログラムによって実行する請求項１３に記載の制御システムの動作プログラム。
【請求項１５】
非接触近接読取ＩＤカードの読取部に非接触近接読取信号を送信可能に配置されるアドオン型制御器であって、
近距離無線にて近距離無線読取ＩＤを受信する近距離無線読取部と、
近距離無線読取部で読取られた近距離無線読取ＩＤを非接触近接読取ＩＤに変換する変換部と、
変換された非接触近接読取ＩＤを非接触近接読取ＩＤカードの読取部に非接触近接読取信号にて出力する非接触近接読取信号出力部と、
を有するアドオン型制御器。
【請求項１６】
変換部は、読取られた近距離無線読取ＩＤを関数にて非接触近接読取ＩＤに変換する関数変換手段を有する請求項１５に記載のアドオン型制御器。
【請求項１７】
近接無線にて非接触近接読取ＩＤカードを読取る近接無線読取部と、
読取られた非接触近接読取ＩＤと、制御信号とを関連付けた制御対応情報を保持する制御対応情報保持部と、
読取られた非接触近接読取ＩＤと保持されている制御対応情報とに基づいて制御信号を出力する制御信号出力部と、
を有する非接触近接読取型制御器と、
請求項１５又は請求項１６に記載のアドオン型制御器と、
からなる制御システム。
【発明の詳細な説明】
【技術分野】
【０００１】
本発明は、既存の非接触近接読取型制御器に付加することでより正確な入退室情報の管理が可能なアドオン型制御器およびこれを含む制御システムに関するものである。
【背景技術】
【０００２】
非接触型のＩＣカードを用いる入退室管理を行う環境では、入室時（若しくは退室時）にカードをリーダに近接させ認証を行う必要がある。しかし、いったん認証により扉が解錠されると、認証を行ったものに続いて認証を行っていない者が続いて入室することができ、その者の入退室情報を取得することができないといった問題がある。
【先行技術文献】
【特許文献】
【０００３】
【特許文献１】特開２０１０−１８５２６３号公報
【発明の概要】
【発明が解決しようとする課題】
【０００４】
特許文献１の技術は、入退室者が保持するＲＦＩＤタグから発信される電波をＲＦＩＤリーダで読取り、扉の解錠および施錠の制御を行うことが可能な施解錠システムである。該技術によれば、ＩＣカードのようにカードをリーダに近接させるといった動作が必要なく、ＲＦＩＤによる通信が可能なエリア内を通過することで認証が行われ解錠が実行される。このため、複数の者がほぼ同時に扉を通過した場合でも、それぞれの者に対して認証が実行され、認証時刻などを取得することで入退室の管理を実行することが可能である。
【０００５】
このように無線通信方式をＩＣカード等の非接触近接読取型からＲＦＩＤ等の近距離無線による通信に変更することでより正確な入退室管理を実行することが可能である。しかしながら既存のＩＣカードによるシステムを運用している事業所等においては、ＲＦＩＤを用いたシステムに転換することは金銭的にも時間的にも多大なコストがかかるといった問題が生ずる。システム全体を入れ換えるとなると、無線通信方式の変更による無線通信部分の入れ換えのみならず、認証や入退室管理を行うサーバ等も入れ換えることとなり、利用者は無駄な負担を強いられる。そこで、無線通信方式のみを変更し、認証や入退室管理を行うサーバ等は既設のものを活用することの可能な装置およびシステムの提供が課題として生ずる。
【課題を解決するための手段】
【０００６】
このような課題に対し、本発明は、既存のＩＣカードによる非接触近接読取型の制御システムにアドオンする態様で、無線通信部分をＲＦＩＤを用いた通信やＢＬＥ（Ｂｌｕｅｔｏｏｔｈ（登録商標）  Ｌｏｗ  Ｅｎｅｒｇｙ）による通信などの近距離無線通信方式に変更することが可能なアドオン型制御器を提供する。
【０００７】
具体的には、第一に、非接触近接読取ＩＤカードの読取部に非接触近接読取信号を送信可能に配置されるアドオン型制御器であって、近距離無線にて近距離無線読取ＩＤを受信する近距離無線読取部と、近距離無線読取ＩＤと非接触近接読取ＩＤとを関連付けたＩＤ対応情報を保持するＩＤ対応情報保持部と、近距離無線読取部で読取られた近距離無線読取ＩＤを保持されているＩＤ対応情報に基づいて非接触近接読取ＩＤに変換する変換部と、変換された非接触近接読取ＩＤを非接触近接読取ＩＤカードの読取部に非接触近接読取信号にて出力する非接触近接読取信号出力部と、を有するアドオン型制御器を提供する。
【０００８】
また、上記第一の特徴に加えて、第二の特徴として近距離無線読取部で読取られた近距離無線読取ＩＤが対応情報にて非接触近接読取ＩＤに変換するものがない場合には非接触近接読取ＩＤへの変換を行わない非変換部をさらに有するアドオン型制御器を提供する。
【０００９】
さらに、上記第一又は第二の特徴に加えて、第三の特徴として、近接無線にて非接触近接読取ＩＤカードを読取る近接無線読取部と、読取られた非接触近接読取ＩＤと、制御信号とを関連付けた制御対応情報を保持する制御対応情報保持部と、読取られた非接触近接読取ＩＤと保持されている制御対応情報とに基づいて制御信号を出力する制御信号出力部と、を有する非接触近接読取型制御器と、アドオン型制御器と、からなる制御システムを提供する。
【００１０】
さらに、上記第三の特徴に加えて、第四の特徴としてアドオン型制御器は、非接触近接読取信号出力部からの信号のみを非接触近接読取型制御器が読取りするための信号シールド部をさらに有する制御システムを提供する。
【００１１】
さらに、上記特徴第三の特徴に加えて、第五の特徴としてアドオン型制御器は、非接触近接読取ＩＤカードからの信号をも非接触近接読取型制御器が読み取れるように構成された制御システムを提供数する。
【００１２】
さらに、上記特徴第三ないし第五の特徴に加えて、近距離無線読取ＩＤを保持する近距離無線読取ＩＤ保持部と、保持されている近距離無線読取ＩＤを無線出力する近距離無線読取ＩＤ出力部と、をアプリケーションプログラムによって構成する携帯端末をさらに備えた制御システムを提供する。
【発明の効果】
【００１３】
上記のようなアドオン型制御器および制御システムにより、既存のＩＣカード等を使用した非接触近接読取型のカードリーダ部分にアドオンすることで、無線通信方式をＲＦＩＤ等を用いた近距離無線方式に変更することが可能である。既設システムにアドオンする態様であるため、サーバ等の既存の機器をそのまま活用することが可能であり、経済的にシステムの変更をすることが可能である。無線通信方式を近距離無線方式に変更することでよりきめが細かく、正確な入退室情報の管理を実行することが可能である。
【図面の簡単な説明】
【００１４】
【図１】実施例１のアドオン型制御器の処理の概要を示す図
【図２】実施例１を実施した場合のアドオン型制御器の機能的構成を示す図
【図３】受信電波に指向性を持たせた近接無線読取部を示す概念図
【図４】実施例１のアドオン型制御器の、対となった近距離無線読取部同士の接続の一態様を示す図
【図５（Ａ）】実施例１のアドオン型制御器に加え改札型のゲートを付加した態様の概略を示す図
【図５（Ｂ）】実施例１のアドオン型制御器に加え改札型のゲートを付加した態様の概略を示す図
【図６】実施例１におけるアドオン型制御器の処理の流れの一例を示すフローチャート
【図７】実施例１にかかるアドオン型制御器のハードウエア構成の一例を示す図
【図８】実施例２を実施した場合の制御システムの機能的構成を示す図
【図９】信号シールド部の機能を示すための概略図
【図１０】近距離無線通信のみならず非接触近接読取ＩＤカードなどの近接無線通信も可能である態様の一例を示す図
【図１１】実施例２の制御システムにおいてアドオン型制御器を非接触近接読取型制御器の一部にかぶせて設置した様子を示す概念図
【図１２】制御対応情報テーブルの概要を示す図
【図１３】利用者の入退室を記録した入退室情報を示すための図
【図１４】実施例２におけるアドオン型制御器の処理の流れの一例を示すフローチャート
【図１５】実施例２にかかるアドオン型制御器のハードウエア構成の一例を示す図
【図１６】実施例３を実施した場合の制御システムの機能的構成を示す図
【図１７】実施例３における制御システムの処理の流れの一例を示すフローチャート
【図１８】実施例３にかかる制御システムのうち携帯端末のハードウエア構成の一例を示す図
【発明を実施するための形態】
【００１５】
以下、本件発明の実施の形態について、添付図面を用いて説明する。なお、実施例と請求項の相互の関係は以下の通りである。実施例１は主に請求項１、２、７、８、１１、１２、１５、１６に関し、実施例２は主に請求項３から５、９、１３、１７に関し、実施例３は主に請求項６、１０、１４に関する。本件発明は、これら実施例に何ら限定されるべきものではなく、その要旨を逸脱しない範囲において、種々なる態様で実施し得る。
【実施例１】
【００１６】
＜概要＞
図１は本実施例のアドオン型制御器の処理の概要を示す図である。この図では、ビーコン送信機を保持している利用者（０１０１）が扉を通過しようとしている場面を示している。ビーコン送信機からは近距離無線方式による無線電波が発せられており、これを扉の付近に設置されたアドオン型制御器（０１０２）が受信する。ビーコン送信機からは近距離無線読取ＩＤが送信され、アドオン型制御器はこれを受信する。受信された近距離無線読取ＩＤは、アドオン型制御器が有するＩＤ対応情報（０１０３）に基づいて非接触近接読取ＩＤに変換を行う。変換結果である非接触近接読取ＩＤはＩＣカードリーダ（０１０４）に対して送信される。ＩＣカードリーダでは受信した非接触近接読取ＩＤにより認証処理がサーバ（０１０５）等により実行され、認証が成功するとサーバは扉の錠（０１０６）に制御信号を送信し解錠処理が実行される。また、認証時刻等の情報はＨＤＤ等の記憶域（０１０７）に格納される。
【００１７】
アドオン型制御器にいう「制御」は扉の開閉錠、ドア、扉などの開閉制御に限定されるものではない。エレベータ、エスカレータの運航、停止階の制御、窓の開閉、吸排気口の開閉、改札の開閉、ゲートの開閉（駐車場、電車等の踏切）、トラックなどの輸送車の後部ハッチの開閉や、備えられている機器（例えば吊り上げクレーン等）の動作制御、遊園地などでのアトラクションの稼働（例えば、メリーゴーラウンド、ティーカップ等）、照明の点灯消灯制御、室内家電製品（例えば、冷蔵庫、照明、エアコンなど）の稼働制御など電子機器、電気機器、動力機器のあらゆるものの制御を含むものである。なお、本明細書ではこれらの中で入退室に関連した例（ドア、扉、ゲートなど）を挙げて説明する。
【００１８】
また、アドオン型制御器にいう「制御」はアドオン型制御器によって間接に制御する意味（後述する「非接触近接読取型制御器」等によるもの）に用いる他、直接的に何らかの機器を制御する意味に用いられるものであってもよい。アドオン型制御器の信号を介して非接触近接読取型制御器が扉などを制御すると同時に、アドオン型制御器が他の機器を制御してもよい。また、アドオン型制御器は付随して、制御に関連した情報を信号として送信したり伝送したりすること、制御に関連しない情報を信号として送信したり伝送したりすること、また外部から情報を信号として受信することなどの機能を有していてもよい。さらに、「アドオン」は後付けの意味で一般に用いられるが、後付けでなく、被着体と同時に設置されるようなケースで本願発明が用いられてもよく、後付けのものに限定する趣旨ではない。
【００１９】
以下では、本実施例のアドオン型制御器の機能及び処理の流れ、並びにハードウエアの内容について、詳細に説明する。なお、以下に記載する本システムの機能ブロックは、ハードウエア及びソフトウェアの組み合わせとして実現され得る。具体的には、コンピュータを利用するものであれば、ＣＰＵ（中央演算装置）や主メモリ、バス、あるいは二次記憶装置（ハードディスクドライブや不揮発性メモリ、ＣＤやＤＶＤなどの記憶メディアとそれらメディアの読取ドライブなど）、情報入力に利用される入力デバイス、印刷機器や表示装置、その他の外部周辺装置などのハードウエア構成部、またその外部周辺装置用のインタフェース、通信用インタフェース、それらハードウエアを制御するためのドライバプログラムやその他アプリケーションプログラム、ユーザ・インターフェース用アプリケーションなどが挙げられる。そして主メモリ上に展開したプログラムに従ったＣＰＵの演算処理によって、入力デバイスやその他インタフェースなどから入力され、メモリやハードディスク上に保持されているデータなどが加工、蓄積されたり、上記各ハードウエアやソフトウェアを制御するための命令が生成されたりする。あるいは本システムの機能ブロックは専用ハードウエアによって実現されても良い。
【００２０】
また、この発明はシステムとして実現できるのみでなく、方法としても実現可能である。また、このような発明の一部をソフトウェアとして構成することができる。さらに、そのようなソフトウェアをコンピュータに実行させるために用いるプログラム、及びプログラムを固定した記録媒体も、当然にこの発明の技術的な範囲に含まれる（本明細書の全体を通じて同様である）。
【００２１】
＜機能的構成＞
図２は、本実施例にかかるアドオン型制御器の機能的構成を示す図である。本実施例にかかるアドオン型制御器（０２００）は、「近距離無線読取部」（０２０１）と、「ＩＤ対応情報保持部」（０２０２）と、「変換部」（０２０３）と、「非接触近接読取信号出力部」（０２０４）と、を有する。
【００２２】
「近距離無線読取部」（０２０１）は、近距離無線にて近距離無線読取ＩＤを受信する機能を有する。本明細書において「近距離無線」とは、ＩＤと関連付けて比較的近距離での通信を行うことにより所定範囲内でＩＤの認識が可能な通信手段を指し、後述する「近接無線」を除く。「近距離無線方式」には、ＲＦＩＤ等を用いた通信方式やＢＬＥ（Ｂｌｕｅｔｏｏｔｈ（登録商標）  Ｌｏｗ  Ｅｎｅｒｇｙ）による通信方式などが含まれる。近接無線と比べ、通信距離が長く、数メートル程度の距離まで通信が可能であるものが含まれる。ＲＦＩＤによるものでは、ＨＦ帯（短波帯  １３．５６ＭＨｚ、通信距離〜３０ｃｍ）、ＵＨＦ帯（極超短波  ９００ＭＨｚ帯、通信距離〜５ｍ）、マイクロ波（２．４５ＧＨｚ、通信距離〜２ｍ）などの帯域を使用した通信方式が含まれる。
【００２３】
一方「近接無線」方式とは、「近距離無線」と比べ、通信距離が短く、十数センチ以下の距離での小電力無線通信方式であり、ＩＣカードによる通信方式が含まれる。この方式では一般的に、ＩＣカードをカードリーダに接触させることで通信を行うことが多い。具体的にはＩＳＯ／ＩＥＣ  １８０９２で定められたＮＦＣ（Ｎｅａｒ  Ｆｉｅｌｄ  Ｃｏｍｍｕｎｉｃａｉｏｎ）などの通信方式が近接無線方式に該当する。「近距離無線読取ＩＤ」は、ＲＦＩＤタグやビーコン、携帯端末が保持している個体識別ＩＤを指す。受信した近距離無線読取ＩＤは、後述する変換部（０２０３）へ送られる。当部の機能は、電波を送受信するアンテナと、近距離無線通信モジュールと、ＣＰＵと、ＲＡＭ、近距離無線読取プログラム等で実現される。
【００２４】
「近距離無線読取部」（０２０１）は、入室情報と退室情報との両方を管理する場合では管理対象のエリア外とエリア内、居室であれば室外と室内に設けられる。通常はこれら二つの読取部が近接して設置されることから、ビーコン等が発する近距離無線電波が二つの読取部の両方に到達して入室か退室かの判断に失敗するといった問題が生ずる可能性がある。この問題に対して、近距離無線読取部に受信の指向性を持たせ、一定方向からのみ電波を受信するといった構成とすることが考えられる。図３は受信電波に指向性を持たせた近距離無線読取部を示す概念図である。この図にあるように受信用のアンテナの周囲を電磁波シールド等の電波を通さない材質で囲むことで、限られた方向からの電波のみを受信する。また、二つの近距離無線読取部を接続して、電波を受信した順序により入室か退室かの判断を行うといった構成が考えられる。例えば、ビーコン等を所持した利用者が室外から室内に移動した場合において、まず初めに室外の近距離無線読取部がビーコン等からの電波を受信し、利用者の入室後に室内の近距離無線読取部が電波を受信するといった具合となる。この電波を受信した順序（室外→室内）により、入室と判断するといった処理を実行するといった構成が考えられる。さらに、室外の近距離無線読取部が先に電波を受信すると、対となっている室内の近距離無線読取部を同一の近距離無線読取ＩＤを有するビーコン等に対して無効化するといった処理を行うことも考えられる。この処理により、室外→室内の移動と、室内→室外の移動を判別することが可能である。当部の機能は電波を送受信するアンテナと近距離無線モジュールと、ＣＰＵおよびＲＡＭ、近距離無線読取プログラム等により実現される。
【００２５】
近距離無線読取部（０２０１）で読取った情報の他の近距離無線読取部への伝送は、有線で行っても、無線で行ってもよい。無線で行う場合にはビーコンの電波の周波数帯とは離れた周波数帯を用いるのが好ましい。干渉が生じる可能性があるからである。また、ハッキング等を防止するために暗号化された無線を利用することが好ましい。有線で伝送を行う場合には構内ＬＡＮなどを利用することが考えられる。図４は本実施例のアドオン型制御器の、対となった近距離無線読取部同士の接続の一態様を示す図である。この図にあるように、非接触近接読取型制御器の近接無線読取部（後述）（０４０１、０４０２）に装着された近距離無線読取部（０４０３、０４０４）が室内と室外とに対をなして設けられている。これら対となっている近距離無線読取部（０４０３、０４０４）は、アドレスを有しており、お互いに構内ＬＡＮで接続されている。この構内ＬＡＮには非接触近接読取型制御器に含まれる近接無線読取部（０４０１、０４０２）も接続され、サーバ（０４０５）に非接触近接読取ＩＤ（後述）等の情報を送信している。
【００２６】
近距離無線読取部で読取られた入室又は退室を示す情報は、非接触近接無線読取信号に変換されて非接触近接読取信号出力部から出力されるように構成してもよいし、後述する非接触近接読取型制御器が入退室管理の機能を有さない場合には、非接触近接読取型制御器とは別個にサーバ（０４０６）などにおいて管理するように構成してもよい。この場合には社員番号などのＩＤは非接触近接読取信号に変換されて出力され、入室・退室に関する情報はこの変換がされずにサーバ（０４０６）などに蓄積されて、二通りの情報処理がされることとなる。
【００２７】
「ＩＤ対応情報保持部」（０２０２）は、近距離無線読取ＩＤと非接触近接読取ＩＤとを関連付けたＩＤ対応情報を保持する機能を有する。「近距離無線読取ＩＤ」とは上述の通りである。「非接触近接読取ＩＤ」とは近接無線方式を使用するＩＣカードのＩＣチップなどが保持している個体識別ＩＤを指す。これら二つの情報は関連付けされてアドオン型制御器の記憶域に保持されている。後述する変換部（０２０３）において読み取られた近距離無線読取ＩＤをキーとして対応する非接触近接読取ＩＤを取得するといった処理がＩＤ対応情報に対して実行される。当部の機能は不揮発性メモリやＲＡＭにより実現される。なお、この保持部は、ドアなどの制御対象近辺に配置されるアドオン型制御器の筐体内に必ずしも存在する必要はなく、このアドオン型制御器と通信可能な離れた位置に設置されているサーバ内に存在するものであってもよい。本アドオン型制御器は、筐体が一つである必要はなく、各機能部分が複数の筐体に分散して格納されていてもよい。
【００２８】
「ＩＤ対応情報」は近距離無線読取ＩＤと非接触近接読取ＩＤとが一対一で関連付けされていてもよいし、多対一で関連付けされていてもよい。すなわち、アドオンされる側の既存のＩＣカードシステム等において、利用者の識別を行って入退室管理を行わない場合には複数の近距離無線読取ＩＤと、単一の有効な非接触近接読取ＩＤと、が関連付けされていれば少なくとも解錠や施錠の扉制御処理は実行できる。なお、近距離無線読取ＩＤをグループ分けして、それぞれ対応する非接触近接読取ＩＤと関連付けを行えばグループ単位での入退室管理を行うことができる。
【００２９】
なお、上記ＩＤ対応情報保持部（０２０２）を有する構成の他、上記ＩＤ対応情報保持部が存在しない構成も考えられる。すなわち、あらかじめＩＤ対応情報保持部にＩＤ対応情報を保持せず、認証の都度、後述する変換部（０２０３）において、近距離無線読取ＩＤから非接触近接読取ＩＤを生成するといった態様である。具体的には、近距離無線読取ＩＤを読取った後、近距離無線読取ＩＤを引数とした関数により、非接触近接読取ＩＤを取得するといった処理が考えられる。
【００３０】
図１では、「ＩＤ対応情報」がアドオン型制御器（０１０２）内に保持されている態様であるが、必ずしも装置内に保持されている態様に限られない。例えば、アドオン型制御器（０１０２）がネットワークに接続されており、サーバにＩＤ対応情報を保持するといった態様も本発明の範囲に含まれる。複数のアドオン型制御器がサーバに接続されていればＩＤ対応情報を集中的に管理すること可能である。また、メモリカードやＵＳＢメモリ等の可搬型の記憶媒体にＩＤ対応情報を格納し、アドオン型制御器がこれにアクセスしてＩＤ対応情報を格納するといった態様も本発明の範囲内である。
【００３１】
「変換部」（０２０３）は、近距離無線読取部で読取られた近距離無線読取ＩＤを取得したＩＤ対応情報に基づいて非接触近接読取ＩＤに変換する機能を有する。近距離無線読取部（０２０１）より読取られた近距離無線読取ＩＤを取得し、ＩＤ対応情報保持部（０２０２）に保持されているＩＤ対応情報をその近距離無線読取ＩＤをキーとして検索し、該当するレコードを抽出する。抽出されたレコードから対応する非接触近接読取ＩＤを取得し、取得した非接触近接読取ＩＤは後述の非接触近接読取信号出力部（０２０４）に対して出力される。当部の機能はＣＰＵとＲＡＭ、変換プログラムなどにより実現される。
【００３２】
また本実施例のアドオン型制御器は、近距離無線読取部で読取られた近距離無線読取ＩＤが対応情報にて非接触近接読取ＩＤに変換するものがない場合には非接触近接読取ＩＤへの変換を行わない「非変換部」（図示せず）を有していてもよい。すなわち、ＩＤ対応情報保持部（０２０２）において、ＩＤ対応情報を参照して読取られた近距離無線読取ＩＤに対応する非接触近接読取ＩＤを取得するが、このときに対応する非接触近接読取ＩＤを発見することができない場合に、非変換部へ処理は分岐する。非変換部はエラーを返す処理を実行してもよい。アドオン型制御器はエラーを検出すると、扉を施錠するなどの処理が可能である。
【００３３】
「非接触近接読取信号出力部」（０２０４）は、変換された非接触近接読取ＩＤを非接触近接読取ＩＤカードの読取部に非接触近接読取信号にて出力する機能を有する。変換部（０２０３）で変換され出力された非接触近接読取ＩＤを入力として受け取り、非接触近接読取ＩＤカードの読取部に対して電波により非接触近接読取ＩＤを送信する。当部の機能は、電波を送受信するアンテナと、近接通信モジュールと、ＣＰＵと、ＲＡＭ、非接触近接読取信号出力プログラム等で実現される。
【００３４】
上記のアドオン型制御器によると、近距離無線読取部で通信可能なビーコンなどの認証デバイスを保持していても入室権限のない者に対しては認証失敗と共に施錠や警告音の鳴動などで入室を禁止する制御を実行することが可能である。図５（Ａ）および図５（Ｂ）は上記のアドオン型制御器に加え改札型のゲートを付加した態様の概略を示す図である。図５（Ａ）は二つの扉からなるゲートである。ここで、入室権限を有する者（０５０１）に続いて入室権限を有さない者（認証デバイスを保持しているが権限が無い者）（０５０２）が連なってゲートを通過しようとしている。入室権限を有する者（０５０１）が通過すると最初の扉（０５０３）が開き、ゲートの中に入れる。このとき入室権限を有さない者（０５０２）が連なって入室しようとすると、その者は認証に失敗し、最初の扉（０５０３）と次の扉（０５０４）とが閉じられる。これにより権限のないエリアに不正に侵入しようとする者を検出し、ゲート内に閉じ込めることが可能である。
【００３５】
しかしながら、そもそもビーコンなどの認証デバイスを持たない者は、認証に失敗することはないので、認証が成功した者の後に連なって侵入してしまうといった事態を防ぐことはできない。そこで、上記アドオン型制御器に加え通過センサを有する改札型のゲート（一人一人の通過をセンサにて認識し、認証無しの通過ではゲートを閉じることが可能な）などを備えることで、権限無しおよび認証無しの者の侵入を防止することができる。図５（Ｂ）は1つの扉（０５０６）と、通過センサ（０５０７）とを有する態様である。通過センサ（０５０７）はゲートを通過しようとしている者を一人ずつ認識する。認証が成功した場合のみ扉を開き、それ以外の認証失敗の場合と認証無しでゲートを通過しようとしている者を検出した場合には扉を閉じる制御を行う。
【００３６】
＜処理の流れ＞
図６は、本実施例にかかるアドオン型制御器を用いた場合の処理の流れの一例を示すためのフローチャートである。まず、近距離無線にて近距離無線読取ＩＤを受信する（ステップＳ０６０１）。次に、近距離無線読取ＩＤと非接触近接読取ＩＤとを関連付けたＩＤ対応情報を取得する（ステップＳ０６０２）。次に近距離無線読取部で読取られた近距離無線読取ＩＤを取得したＩＤ対応情報に基づいて非接触近接読取ＩＤに変換する（ステップＳ０６０３）。最後に、変換された非接触近接読取ＩＤを非接触近接読取ＩＤカードの読取部に非接触近接読取信号にて出力する（ステップＳ０６０４）。
【００３７】
＜ハードウエア構成＞
図７は、本実施例にかかるアドオン型制御器のハードウエア構成の一例を示す図である。以下、この図を用いて説明する。
【００３８】
この図にあるように、本実施例のアドオン型制御器は、各種演算処理を行う「ＣＰＵ（中央演算装置）」（０７０１）と、揮発性の記憶媒体である「ＲＡＭ」（０７０２）と、フラッシュメモリ等の「不揮発性メモリ」（０７０３）と、を備えている。また、近距離無線通信を担う「通信モジュール１（近距離無線通信モジュール）」（０７０４）と、近接無線通信を担う「通信モジュール２（近接無線通信モジュール）」（０７０５）と、各通信モジュールに接続された「アンテナ」（０７０６、０７０７）と、サーバや他のアドオン型制御器と通信を行うための「ネットワークＩ／Ｆ」（０７０８）を備える。そして、それらが「システムバス」（０７０９）などのデータ通信経路によって相互に接続され、情報の送受信や処理を行う。
【００３９】
また、「ＲＡＭ」（０７０２）は、各種処理を行うプログラムを「ＣＰＵ」（０７０１）に実行させるために読み出すと同時にそのプログラムの作業領域でもあるワーク領域を提供する。また、この「ＲＡＭ」（０７０２）にはそれぞれ複数のアドレスが割り当てられており、「ＣＰＵ」（０７０１）で実行されるプログラムは、そのアドレスを特定しアクセスすることで相互にデータのやりとりを行い、処理を行うことが可能になっている（本明細書を通じて同様である）。
【００４０】
初期状態においては、近距離無線読取プログラムが不揮発性メモリ（０７０３）よりＲＡＭ（０７０２）上に呼び出され、ＣＰＵ（０７０１）にて実行されている。ビーコンなどの近距離無線通信デバイスを所持した者が通信可能範囲に入ると、近距離無線読取プログラムが通信モジュール１（０７０４）を制御し、近距離無線通信デバイスと通信する。通信によりアンテナ（０７０６）を介して近距離無線通信デバイスが保持しているａ：近距離無線読取ＩＤ値を受信する。受信されたａ：近距離無線読取ＩＤ値はＲＡＭ（０７０２）に一時的に格納される。次に、変換プログラムが不揮発性メモリ（０７０３）よりＲＡＭ（０７０２）上に呼び出され、ＣＰＵ（０７０１）にて実行される。同プログラムは不揮発性メモリ（０７０３）に格納されているｃ：ＩＤ対応情報テーブルをＲＡＭ（０７０２）に呼び出す。次に、同テーブルを参照してａ：近距離無線読取ＩＤ値に対応付けされているｂ：非接触近接読取ＩＤ値を返す。次に、非接触近接読取信号出力プログラムが不揮発性メモリ（０７０３）よりＲＡＭ（０７０２）上に呼び出され、ＣＰＵ（０７０１）にて実行される。同プログラムはｂ：非接触近接読取ＩＤ値を引数として受け取り、通信モジュール２（０７０５）を制御することによってアンテナ（０７０７）を介して非接触近接読取信号を電波により送信する。
【実施例２】
【００４１】
＜概要＞
実施例２では上記アドオン型制御器に加えて、アドオンされる側の、ＩＣカード等を用いた近接無線を使用する非接触近接読取型制御器を有する制御システムについて記載する。本システムは、アドオン型制御器から出力された、非接触近接読取ＩＤを伝搬する非接触近接読取信号を近接無線読取部において読取り、読取られた非接触近接読取ＩＤに関連付けられた制御信号により、ドアやゲート等に対して施錠、解錠、オープン、クローズ等の制御を実行するものである。
【００４２】
以下、機能的構成、処理の流れ、ハードウエア構成を順に説明する。
【００４３】
＜機能的構成＞
図８は、本実施例にかかる制御システムの機能的構成を示す図である。この図にあるように本実施例の制御システムは、「非接触近接読取型制御器」（０８１０）と、「アドオン型制御器」（０８００）と、からなる。「非接触近接読取型制御器」（０８１０）は、「近接無線読取部」（０８１１）と、「制御対応情報保持部」（０８１２）と、「制御信号出力部」（０８１３）と、を有する。「アドオン型制御器」（０８００）は、「近距離無線読取部」（０８０１）と、「ＩＤ対応情報保持部」（０８０２）と、「変換部」（０８０３）と、「非接触近接読取信号出力部」（０８０４）と、を有する。なお、アドオン型制御器（０８００）と、その構成要素（０８０１〜０８０４）に関しては上記実施例で説明済みのため記載は省略する。
【００４４】
「非接触近接読取型制御器」（０８１０）は、近接無線を使用してＩＤカードを読取ることにより、扉等の施錠、開錠等の制御を行う機器である。一般的には、カードリーダの接触面にＩＣチップを内蔵したＩＤカードを接触することで通信を行う。なお、「非接触」とは、カード端末機のリーダ／ライタ端子と接触するモジュール端子を持たないタイプで、カードと端子が直接接触して通信を行わないＩＣカードという意味で「非接触」と称している。当該機器はＩＤ認証を行って扉等の制御を行う他、ＩＤカードが有する非接触近接読取ＩＤに関連付けられたユーザＩＤにより、ユーザの入退室の管理を実行することが可能である。具体的には、ある非接触近接読取ＩＤが通信により取得され認証を行い、その認証結果と関連付けられたユーザＩＤと、認証時刻等をサーバ等の記憶域に対して格納する処理を実行する。これにより、ユーザの入退室の管理を行うことができ、勤怠管理をすることが可能である。
【００４５】
「近接無線読取部」（０８１１）は近接無線にて非接触近接読取ＩＤカードを読取る機能を有する。「近接無線」とは上述の通りである。「非接触近接読取ＩＤカード」とは、近接無線を使用して通信が可能なＩＤカードであり、主にカードの記憶域にあるＩＤを読み出して、カードリーダにより読取る処理を実行するものを指す。読取られた非接触近接読取ＩＤは、後述する「制御信号出力部」（０８１３）に対してデータとして出力される。当部の機能はＣＰＵ、ＲＡＭ、ＣＰＵにて実行される近接無線読取プログラム、および非接触型ＩＣカードのリーダ／ライタ等により実現される。
【００４６】
「アドオン型制御器」（０８００）は、非接触近接読取信号出力部からの信号のみを非接触近接読取型制御器が読取りするための信号シールド部を有していてもよい。信号シールド部の一例としては、図９に示すように、電波を遮蔽する素材でできた信号シールド（０９０１、０９０２）を設け、非接触近接読取ＩＤカード（０９０３）からの近接無線電波を遮断している。一方、ビーコン等による近距離無線通信は、信号シールドの手前に近距離無線読取部（０９０４）を設けるため可能である。信号シールド（０９０１）の先に非接触近接読取信号出力部（０９０５）を設けているため非接触近接読取型制御器は非接触近接読取信号出力部（０９０５）から電波のみを受信する。
【００４７】
さらに、「アドオン型制御器」（０９００）は、非接触近接読取ＩＤカードからの信号をも非接触近接読取型制御器が読み取れるように構成されていてもよい。つまり、アドオン型制御器が非接触近接読取型制御器にアドオンされた状態において、近距離無線通信のみならず非接触近接読取ＩＤカードなどの近接無線通信も可能である態様である。一例としては、図１０で示すように、アドオン型制御器（１００１）の表面近傍に非接触近接読取ＩＤカード（１００２）を位置させた場合でも非接触近接読取型制御器（１００３）がその信号を読取れるように構成される場合である。
【００４８】
図１１は本実施例の制御システムにおいてアドオン型制御器を後述する非接触近接読取型制御器の一部にかぶせて設置した様子を示す概念図である。図１１（Ａ）はアドオン型制御器を後述する非接触近接読取型制御器の一部にかぶせて設置した様子を正面から見た場合の概念図である。近距離無線読取部が前面に配置されるとともに、非接触近接読取型制御器の近接無線読取部も一部が前面に露呈するようにアドオンすることで近距離無線通信と近接無線通信との両方が可能である。図１１（Ｂ）は図１１（Ａ）のアドオン型制御器を非接触近接読取型制御器の一部にかぶせて設置した様子を上面から見た概念図である。この図が示すようにアドオン型制御器の非接触近接読取信号出力部は、近距離無線読取部の後ろ側（裏側）に配置されるとともに、近接無線読取部の他の一部がこれに対面しているように構成されているものである。
【００４９】
「制御対応情報保持部」（０８１２）は、読取られた非接触近接読取ＩＤと、制御信号とを関連付けた制御対応情報を保持する機能を有する。「制御対応情報」は非接触近接読取ＩＤの値と対応する制御信号の値の組を記載したテーブルである。図１２にこのテーブルの概要を示す。当該テーブルは、ＩＣカード等の固有のＩＤである非接触近接読取ＩＤ値（例えば「０１  １０  ０４  １０  ２Ｃ  １４  ３Ｅ  ２０」で一枚のカードのＩＤ）と、制御対象である電気錠に対して送信する制御信号値とを関連付けて保持している。図１２中の制御信号値は電気錠に対して送信するものであるから「ＬＯＣＫ」または「ＵＮＬＯＣＫ」の２種類の信号値を取り得る。上述したように制御対象は電気錠に限らず、扉、改札等、多岐にわたるから、上記２種類の信号値にとどまらず、制御対象に応じた制御信号値を取りうる。当部の機能はＲＡＭと、フラッシュメモリ等の不揮発性メモリ等で実現される。
【００５０】
「制御信号出力部」（０８１３）は、読取られた非接触近接読取ＩＤと保持されている制御対応情報とに基づいて制御信号を出力する機能を有する。具体的な当部の処理は、まず、１．制御対応情報保持部に保持されている制御対応情報を当部が利用するＲＡＭ上の所定のアドレスに読み込ませる処理を実行する。次に、２．近接無線読取部（０８１１）において読取られた非接触近接読取ＩＤの値をキーとして制御対応情報を検索し、該当するレコードがあった場合には当該レコードにおいて非接触近接読取ＩＤと関連付けられた制御信号データを取得する処理を実行する。３．取得された制御信号データを制御対象である電気錠やゲートに対して制御信号として送信する。当部の機能はＣＰＵとＲＡＭ、ＣＰＵにて実行される制御信号出力プログラムと、Ｉ／Ｏインタフェース等により実現される。
【００５１】
上記の制御対応情報保持部（０８１２）と制御信号出力部（０８１３）とはサーバ上に有する態様であってもよい。サーバ上に制御対応情報を有し、サーバが制御信号を出力することで制御システムの集中した管理および運用が可能である。
【００５２】
上述の通り、非接触近接読取型制御器において、制御信号は電気錠等の制御対象に対して出力される。一方、制御信号のログは非接触近接読取ＩＤと関連付けて入退室情報の管理のための入退室情報取得部に対して出力されてもよい。取得された制御信号とこれに関連付けられた非接触近接読取ＩＤとは入退室情報として入退室情報保持部に保持されていてもよい。このとき、利用者情報保持部に保持された非接触近接読取ＩＤと関連付けられた利用者情報は、入退室情報として入退室情報保持部に格納されていてもよい。利用者情報とは、少なくとも一の非接触近接読取ＩＤに関連付けられた、氏名、所属、役職、等の情報である。入退室情報保持部に格納された入退室情報を参照することで誰がいつ入退室したかを把握することが可能であり、当該情報を勤怠管理等に利用することが可能である。
【００５３】
図１３は利用者の入退室を記録した入退室情報を示すための図である。この図にあるように、制御信号出力部において制御信号が出力された時刻と、非接触近接読取ＩＤとこれに関連付けられているユーザＩＤ、所属、氏名等の情報、および出力された制御信号のログと制御実行の結果、非接触近接読取ＩＤを受け付けた近接無線読取部のＩＤ（リーダＩＤ）等の情報が記録されている。例えば、２０１８年８月８日９時７分２５秒に非接触近接読取ＩＤ「０１  １０  ０４  １０  ２Ｃ  １４  ３Ｅ  ２０」を室外側のリーダＩＤ「００１Ａ」により受信し、対応付けられた制御信号「ＵＮＬＯＣＫ」が送信されている。この信号により電気錠が解錠されその結果利用者である人事部の○山△夫（ユーザＩＤ：Ｈ３９０１５）が入室したとの記録が残される。このとき制御システム内の記憶域に○山△夫がリーダ００１Ａを利用して入室したとの状態を保持していてもよい。次に、同日１０時１５分３４秒にリーダ００１Ａと対となっており、室内側に設けられたリーダ００１Ｂにおいて非接触近接読取ＩＤ「０１  １０  ０４  １０  ２Ｃ  １４  ３Ｅ  ２０」が読取られ制御信号「ＵＮＬＯＣＫ」が電気錠に送られ解錠される。すると記憶域に保持されている〇山△夫の状態が「入室」から「退室」へ変更され、入退室情報保持部に状態「退室」が格納される。
【００５４】
非接触近接読取型制御器には警告部（図示せず）を有していてもよい。警告部は制御信号出力部（０８１３）の出力結果に応じて警告を発生させる機能を有する。具体的には、制御信号出力部からの制御信号を電気錠等に送信した場合において制御に失敗した場合に警告音や警告音声などを発生するものである。例えば、図１３において８月８日９時４２分２秒と、同日９時４２分５秒とに経営企画部の○谷△史と第一事業部の△村□太郎との非接触近接読取ＩＤが続けて受信されそれぞれ制御信号「ＵＮＬＯＣＫ」と「ＬＯＣＫ」を送信している。△村□太郎は入室権限を有さないため本来なら電気錠を施錠してシャットアウトすべきであるが、△村□太郎は○谷△史に続いて開いている扉を通過して入室しようとしているためシャットアウトすることができない。この場合「ＬＯＣＫ」が正常に実行されなかったとして電気錠はエラーを返し、警告部がこれを取得して警告音等を鳴動させる。これにより、入室権限を有しない者が扉等を通過しようとした場合に警告音等で周囲に知らせることで侵入行為を抑止することが可能である。
【００５５】
＜処理の流れ＞
図１４は、本実施例にかかる制御システムを用いた場合の処理の流れの一例を示すフローチャートである。この図にあるように、まず、アドオン型制御器において近距離無線にて近距離無線読取ＩＤを受信する（ステップＳ１４０１）。次に、近距離無線読取ＩＤと非接触近接読取ＩＤとを関連付けたＩＤ対応情報を取得する（ステップＳ１４０２）。次に近距離無線読取部で読取られた近距離無線読取ＩＤを取得したＩＤ対応情報に基づいて非接触近接読取ＩＤに変換する（ステップＳ１４０３）。次いで、変換された非接触近接読取ＩＤを非接触近接読取ＩＤカードの読取部に非接触近接読取信号にて出力する（ステップＳ１４０４）。出力された非接触近接読取信号は、非接触近接読取型制御器において非接触近接読取ＩＤとして読取られる（ステップＳ１４０５）。次に、読取られた非接触近接読取ＩＤと、制御信号とを関連付けた制御対応情報を取得する（ステップＳ１４０６）。最後に、読取られた非接触近接読取ＩＤと取得した制御対応情報とに基づいて制御信号を出力する（ステップＳ１４０７）。
【００５６】
＜ハードウエア構成＞
図１５は、本実施例にかかる制御システムのハードウエア構成の一例を示す図である。以下、この図を用いて説明する。
【００５７】
この図にあるように、本実施例にかかる制御システムは、アドオン型制御器と、非接触近接読取型制御器とからなる。アドオン型制御器は、各種演算処理を行う「ＣＰＵ（中央演算装置）」（１５０１）と、揮発性の記憶媒体である「ＲＡＭ」（１５０２）と、フラッシュメモリ等の「不揮発性メモリ」（１５０３）と、を備えている。また、近距離無線通信を担う「通信モジュール１」（１５０４）と、近接無線通信を担う「通信モジュール２」（１５０５）と、各通信モジュールに接続された「アンテナ」（１５０６、１５０７）と、サーバや他のアドオン型制御器と通信を行うための「ネットワークＩ／Ｆ」（１５０８）と、を備える。そして、それらが「システムバス」（１５０９）などのデータ通信経路によって相互に接続され、情報の送受信や処理を行う。非接触近接読取型制御器は、各種演算処理を行う「ＣＰＵ（中央演算装置）」（１５１１）と、揮発性の記憶媒体である「ＲＡＭ」（１５１２）と、フラッシュメモリ等の「不揮発性メモリ」（１５１３）と、を備えている。また、近接無線通信を行う「リーダ／ライタモジュール」（１５１４）と、「アンテナ」（１５１５）と、「Ｉ／Ｏインタフェース」（１５１６）と、これを介して「電気錠」（１５１７）と、サーバや他の非接触近接読取型制御器と通信を行うための「ネットワークＩ／Ｆ」（１５１８）と、を有する。そして、それらが「システムバス」（１５１９）などのデータ通信経路によって相互に接続され、情報の送受信や処理を行う。
【００５８】
まず、アドオン型制御器において、近距離無線通信により近距離無線読取ＩＤが読取られ、非接触近接無線読取ＩＤへ変換される。変換された非接触近接読取ＩＤは近接無線通信により出力される。ここまでのハードウエア処理の詳細は上記実施例にて説明済みであるので記載は省略する。次に、非接触近接読取型制御器において、ＲＡＭ（１５１２）上に保持されている近接無線読取プログラムがＣＰＵ（１５１１）において実行され、通信デバイスを制御することにより非接触近接読取ＩＤの受信を行う。具体的には、近接無線通信アンテナ（１５１５）を介してリーダ／ライタモジュール（１５１４）が近接無線方式の通信により非接触近接無線読取ＩＤを受信する。受信した非接触近接無線読取ＩＤの値はＲＡＭ（１５１２）上にｂ．非接触近接無線読取ＩＤ値として格納される。次にＲＡＭ（１５１２）上に格納されている制御信号出力プログラムがＣＰＵ（１５１１）において実行される。同プログラムは、不揮発性メモリ（１５１３）に保持されているｄ．制御対応情報テーブルをＲＡＭ（１５１２）上の所定のアドレスに読み込む。次にＲＡＭ（１５１２）上に保持されているｂ．非接触近接読取ＩＤ値をキーとしてｄ．制御対応情報テーブル内を検索する。検索の結果、該当レコードがあった場合には非接触近接読取ＩＤに関連付けられたｅ．制御信号データをＲＡＭ（１５１２）に一時的に保持する。次に、保持されているｅ．制御信号データを、Ｉ／Ｏインタフェース（１５１６）を介して電気錠（１５１７）に制御信号として出力する。
【実施例３】
【００５９】
＜概要＞
実施例３では、近距離無線読取ＩＤを携帯端末のアプリケーションプログラムが保持し、近距離無線によりアドオン型制御器に対し出力することが可能な制御システムを提供する。
【００６０】
以下、機能的構成、処理の流れ、ハードウエア構成を順に説明する。
【００６１】
＜機能的構成＞
図１６は、本実施例にかかる制御システムの機能的構成を示す図である。本実施例にかかる制御システムは、「アドオン型制御器」（１６００）と、「非接触近接読取型制御器」（１６１０）と、「携帯端末」（１６２０）と、を有する。「アドオン型制御器」（１６００）は、「近距離無線読取部」（１６０１）と、「ＩＤ対応情報保持部」（１６０２）と、「変換部」（１６０３）と、「非接触近接読取信号出力部」（１６０４）と、を有する。「非接触近接読取型制御器」（１６１０）は、「近接無線読取部」（１６１１）と、「制御対応情報保持部」（１６１２）と、「制御信号出力部」（１６１３）と、を有する。これら構成要件については上記実施例にて説明済みであるので記載は省略する。以下では、本実施例で加わった「携帯端末」（１６２０）における「近距離無線読取ＩＤ保持部」（１６２１）と、「近距離無線読取ＩＤ出力部」（１６２２）と、の機能について説明する。
【００６２】
「携帯端末」（１６２０）は、携帯電話、スマートフォン、タブレット端末、ノートパソコン等の持ち運び可能な近距離無線通信可能なハードウエア全般が含まれる。携帯端末の記憶域には近距離無線通信を実行するためのアプリケーションプログラムが格納されている。ここで「アプリケーションプログラム」とは携帯端末にあらかじめインストールされているか否かは問わない。また、オペレーションシステムの有する機能を提供する一モジュールも含まれる。
【００６３】
「近距離無線読取ＩＤ保持部」（１６２１）は、近距離無線読取ＩＤを保持する機能を有する。具体的には携帯端末のＲＡＭやフラッシュメモリ等の不揮発性メモリに近距離無線読取ＩＤを格納する。格納された近距離無線読取ＩＤは暗号化されていてもよい。また、近距離無線読取ＩＤは、使用期限等が設定されているものでもよい。例えば発行から１時間のみ有効なＩＤであったり、入室回数が３回までとなっていたりしてもよい。
【００６４】
このようなＩＤは携帯端末がネットワークを介して取得するものでもよい。アドオン型制御器において、近距離無線読取ＩＤ生成部（図示せず）が有する態様である。近距離無線読取ＩＤ生成部は図４に示すように、非接触近接読取型制御器が有するサーバ（０４０５）とは別のサーバ（０４０６）上に構成されていてもよい。なお、両者のサーバは同一のハードウエア内に構成されていても構わない。当部は近距離無線読取ＩＤと端末あるいはアプリケーションプログラム固有のＩＤ（ＭＡＣアドレスなど）との関連付けを行い記憶域に格納する。関連付けの処理であるが、携帯端末上のアプリケーションプログラムを起動し、端末固有のＩＤを近距離無線読取ＩＤ生成部にネットワーク経由で送信し、同部において生成された近接無線読取ＩＤと、端末固有のＩＤとを関連付けを行い記憶域に保持する。生成された近距離無線読取ＩＤはネットワークを介して携帯端末のアプリケーションプログラムに送られ上述の近距離無線読取ＩＤ保持部（１６２１）に格納される。近距離無線読取ＩＤはバーコードで発行され、これを携帯端末のカメラで取得し、当部に格納するものでもよい。発行に当たり、携帯端末を介して必要な事項（氏名、会社名、連絡先、面会先担当者氏名等）を入力したうえでＩＤが発行されるといった構成でもよい。以上のような構成により認証可能な携帯端末の管理を行うことが可能である。
【００６５】
「近距離無線読取ＩＤ出力部」（１６２２）は、保持されている近距離無線読取ＩＤを無線出力する機能を有する。近距離無線読取ＩＤ保持部（１６２１）に保持されている近距離無線読取ＩＤを近距離無線によりアドオン型制御器の近距離無線読取部に向け出力を行う。
【００６６】
＜処理の流れ＞
図１７は、本実施例にかかる制御システムを用いた場合の処理の流れの一例を示すためのフローチャートである。この図にあるように、まず、携帯端末において近距離無線読取ＩＤを取得する（ステップＳ１７０１）。次に、近距離無線読取ＩＤを出力する（ステップＳ１７０２）。出力された近距離無線読取ＩＤはアドオン型制御器において受信される。以降の処理については上記実施例で説明済みであるので記載は省略する。
【００６７】
＜ハードウエア構成＞
図１８は、本実施例にかかる制御システムのうち携帯端末のハードウエア構成の一例を示す図である。以下、この図を用いて説明する。
【００６８】
この図にあるように、本実施例にかかる制御システムのうちの携帯端末は、各種演算処理を行う「ＣＰＵ（中央演算装置）」（１８０１）と、揮発性の記憶媒体である「ＲＡＭ」（１８０２）を備えている。また、不揮発性の記憶媒体であるフラッシュメモリやＨＤＤなどの「不揮発性メモリ」（１８０３）と、携帯電話回線により通信を行うセルラ通信モジュール（１８０４）とこれに接続されているアンテナ（１８０５）、近距離無線通信を行う近距離無線通信モジュール（１８０６）やこれに接続されているアンテナ（１８０７）、ディスプレイ、タッチパネル等の「Ｕ／Ｉ」（１８０８）を有している。そして、それらが「システムバス」（１８０９）などのデータ通信経路によって相互に接続され、情報の送受信や処理を行う。近距離無線モジュール（１８０６）はＢｌｕｅｔｏｏｔｈ（登録商標）規格のものを採用してもよいが、リンクアドレス長が３ｂｉｔであるのでビーコン等が接続可能な数は７個に限られる。一度に扉等を通過する者が増えると処理しきれない恐れがある。そこでＢｌｕｅｔｏｏｔｈ（登録商標）Ｌｏｗ  Ｅｎｅｒｇｙ（ＢＬＥ）規格のものを採用するとリンクアドレス長が３２ｂｉｔまで拡張されるため望ましい。
【００６９】
まず、不揮発性メモリ（１８０３）に保持されているアプリケーションプログラムがＲＡＭ（１８０２）に呼び出され、ＣＰＵ（１８０１）にて実行される。同プログラムは不揮発性メモリ（１８０３）に格納されているａ．近距離無線読取ＩＤ値をＲＡＭ（１８０２）上に呼び出し、近距離無線通信モジュール（１８０６）とアンテナ（１８０７）を介して、アドオン型制御器に対して出力する。不揮発性メモリ（１８０３）等に格納されているａ．近距離無線読取ＩＤ値は、アンテナ（１８０５）を介しセルラ通信モジュール（１８０４）により受信され格納されているものであってよい。
【符号の説明】
【００７０】
０２００：アドオン型制御器
０２０１：近距離無線読取部
０２０２：ＩＤ対応情報保持部
０２０３：変換部
０２０４：非接触近接読取信号出力部
【図１】
2020029711.tif 000003
【図２】
2020029711.tif 000004
【図３】
2020029711.tif 000005
【図４】
2020029711.tif 000006
【図５（Ａ）】
2020029711.tif 000007
【図５（Ｂ）】
2020029711.tif 000008
【図６】
2020029711.tif 000009
【図７】
2020029711.tif 000010
【図８】
2020029711.tif 000011
【図９】
2020029711.tif 000012
【図１０】
2020029711.tif 000013
【図１１】
2020029711.tif 000014
【図１２】
2020029711.tif 000015
【図１３】
2020029711.tif 000016
【図１４】
2020029711.tif 000017
【図１５】
2020029711.tif 000018
【図１６】
2020029711.tif 000019
【図１７】
2020029711.tif 000020
【図１８】
2020029711.tif 000021
【手続補正書】
【提出日】平成30年12月28日(2018.12.28)
【手続補正１】
【補正対象書類名】特許請求の範囲
【補正対象項目名】全文
【補正方法】変更
【補正の内容】
【特許請求の範囲】
【請求項１】
入退室管理用の非接触近接読取ＩＤカードの読取部に非接触近接読取信号を送信可能に配置されるアドオン型制御器であって、
近距離無線にて入退室管理用の近距離無線読取ＩＤを受信する近距離無線読取部と、
入退室管理用の近距離無線読取ＩＤと入退室管理用の非接触近接読取ＩＤとを関連付けたＩＤ対応情報を保持するＩＤ対応情報保持部と、
近距離無線読取部で読取られた入退室管理用の近距離無線読取ＩＤを保持されているＩＤ対応情報に基づいて入退室管理用の非接触近接読取ＩＤに変換する変換部と、
変換された入退室管理用の非接触近接読取ＩＤを入退室管理用の非接触近接読取ＩＤカードの読取部に非接触近接読取信号にて出力する非接触近接読取信号出力部と、
を有するアドオン型制御器。
【請求項２】
近距離無線読取部で読取られた近距離無線読取ＩＤが対応情報にて非接触近接読取ＩＤに変換するものがない場合には非接触近接読取ＩＤへの変換を行わない非変換部をさらに有する請求項１に記載のアドオン型制御器。
【請求項３】
近接無線にて非接触近接読取ＩＤカードを読取る近接無線読取部と、
読取られた非接触近接読取ＩＤと、制御信号とを関連付けた制御対応情報を保持する制御対応情報保持部と、
読取られた非接触近接読取ＩＤと保持されている制御対応情報とに基づいて制御信号を出力する制御信号出力部と、
を有する非接触近接読取型制御器と、
請求項１又は請求項２に記載のアドオン型制御器と、
からなる制御システム。
【請求項４】
アドオン型制御器は、非接触近接読取信号出力部からの信号のみを非接触近接読取型制御器が読取りするための信号シールド部をさらに有する請求項３に記載の制御システム。
【請求項５】
近距離無線読取ＩＤを保持する近距離無線読取ＩＤ保持部と、
保持されている近距離無線読取ＩＤを無線出力する近距離無線読取ＩＤ出力部と、
をアプリケーションプログラムによって構成する携帯端末をさらに備えた請求項３又は請求項４のいずれか一に記載の制御システム。
【請求項６】
入退室管理用の非接触近接読取ＩＤカードの読取部に非接触近接読取信号を送信可能に配置されるアドオン型制御器の動作方法であって、
近距離無線にて入退室管理用の近距離無線読取ＩＤを受信する近距離無線読取ステップと、
入退室管理用の近距離無線読取ＩＤと入退室管理用の非接触近接読取ＩＤとを関連付けたＩＤ対応情報を取得するＩＤ対応情報取得ステップと、
近距離無線読取ステップで読取られた入退室管理用の近距離無線読取ＩＤを取得したＩＤ対応情報に基づいて入退室管理用の非接触近接読取ＩＤに変換する変換ステップと、
変換された入退室管理用の非接触近接読取ＩＤを入退室管理用の非接触近接読取ＩＤカードの読取部に非接触近接読取信号にて出力する非接触近接読取信号出力ステップと、
を実行するアドオン型制御器の動作方法。
【請求項７】
近距離無線読取ステップで読取られた近距離無線読取ＩＤが対応情報にて非接触近接読取ＩＤに変換するものがない場合には非接触近接読取ＩＤへの変換を行わない非変換ステップをさらに実行する請求項６に記載のアドオン型制御器の動作方法。
【請求項８】
近接無線にて非接触近接読取ＩＤカードを読取る近接無線読取ステップと、
読取られた非接触近接読取ＩＤと、制御信号とを関連付けた制御対応情報を取得する制御対応情報取得ステップと、
読取られた非接触近接読取ＩＤと取得した制御対応情報とに基づいて制御信号を出力する制御信号出力ステップと、
を実行する非接触近接読取型制御器の動作方法と、
請求項６又は請求項７に記載のアドオン型制御器の動作方法と、
からなる制御システムの動作方法。
【請求項９】
近距離無線読取ＩＤを取得する近距離無線読取ＩＤ取得ステップと、
取得された近距離無線読取ＩＤを無線出力する近距離無線読取ＩＤ出力ステップと、
を携帯端末のアプリケーションプログラムによって実行する請求項８に記載の制御システムの動作方法。
【請求項１０】
入退室管理用の非接触近接読取ＩＤカードの読取部に非接触近接読取信号を送信可能に配置されるアドオン型制御器の動作プログラムであって、
近距離無線にて入退室管理用の近距離無線読取ＩＤを受信する近距離無線読取ステップと、
入退室管理用の近距離無線読取ＩＤと入退室管理用の非接触近接読取ＩＤとを関連付けたＩＤ対応情報を取得するＩＤ対応情報取得ステップと、
近距離無線読取ステップで読取られた入退室管理用の近距離無線読取ＩＤを取得したＩＤ対応情報に基づいて入退室管理用の非接触近接読取ＩＤに変換する変換ステップと、
変換された入退室管理用の非接触近接読取ＩＤを入退室管理用の非接触近接読取ＩＤカードの読取部に非接触近接読取信号にて出力する非接触近接読取信号出力ステップと、
を実行するアドオン型制御器の動作プログラム。
【請求項１１】
近距離無線読取ステップで読取られた近距離無線読取ＩＤが対応情報にて非接触近接読取ＩＤに変換するものがない場合には非接触近接読取ＩＤへの変換を行わない非変換ステップをさらに実行する請求項１０に記載のアドオン型制御器の動作プログラム。
【請求項１２】
近接無線にて非接触近接読取ＩＤカードを読取る近接無線読取ステップと、
読取られた非接触近接読取ＩＤと、制御信号とを関連付けた制御対応情報を取得する制御対応情報取得ステップと、
読取られた非接触近接読取ＩＤと取得した制御対応情報とに基づいて制御信号を出力する制御信号出力ステップと、
を実行する非接触近接読取型制御器の動作プログラムと、
請求項１０又は請求項１１に記載のアドオン型制御器の動作プログラムと、
からなる制御システムの動作プログラム。
【請求項１３】
近距離無線読取ＩＤを取得する近距離無線読取ＩＤ取得ステップと、
取得された近距離無線読取ＩＤを無線出力する近距離無線読取ＩＤ出力ステップと、
を携帯端末のアプリケーションプログラムによって実行する請求項１２に記載の制御システムの動作プログラム。
【請求項１４】
入退室管理用の非接触近接読取ＩＤカードの読取部に非接触近接読取信号を送信可能に配置されるアドオン型制御器であって、
近距離無線にて入退室管理用の近距離無線読取ＩＤを受信する近距離無線読取部と、
近距離無線読取部で読取られた入退室管理用の近距離無線読取ＩＤを入退室管理用の非接触近接読取ＩＤに変換する変換部と、
変換された入退室管理用の非接触近接読取ＩＤを入退室管理用の非接触近接読取ＩＤカードの読取部に非接触近接読取信号にて出力する非接触近接読取信号出力部と、
を有するアドオン型制御器。
【請求項１５】
変換部は、読取られた近距離無線読取ＩＤを関数にて非接触近接読取ＩＤに変換する関数変換手段を有する請求項１４に記載のアドオン型制御器。
【請求項１６】
近接無線にて非接触近接読取ＩＤカードを読取る近接無線読取部と、
読取られた非接触近接読取ＩＤと、制御信号とを関連付けた制御対応情報を保持する制御対応情報保持部と、
読取られた非接触近接読取ＩＤと保持されている制御対応情報とに基づいて制御信号を出力する制御信号出力部と、
を有する非接触近接読取型制御器と、
請求項１４又は請求項１５に記載のアドオン型制御器と、
からなる制御システム。
【手続補正２】
【補正対象書類名】明細書
【補正対象項目名】００１５
【補正方法】変更
【補正の内容】
【００１５】
以下、本件発明の実施の形態について、添付図面を用いて説明する。なお、実施例と請求項の相互の関係は以下の通りである。実施例１は主に請求項１、２、６、７、１０、１１、１４、１５に関し、実施例２は主に請求項３から４、８、１２、１６に関し、実施例３は主に請求項５、９、１３に関する。本件発明は、これら実施例に何ら限定されるべきものではなく、その要旨を逸脱しない範囲において、種々なる態様で実施し得る。